(57)【要約】【課題】フレット毎に音高のズレを可及的に小さくできるフレット付き弦楽器及びこれに用いられるゼロフレットを提供する。【解決手段】ナットと第１フレットの間に配置されるゼロフレットを備えたフレット付き弦楽器であり、前記ゼロフレットが、弦を支持するゼロフレット本体と、該ゼロフレット本体を弦長方向に位置調整可能に支持する台座とを備えたものであることを特徴とする。【選択図】図４
2020091501.tif 000002
【特許請求の範囲】
【請求項１】
ナットと第１フレットの間に配置されるゼロフレットを備えたフレット付き弦楽器であり、
前記ゼロフレットが、弦を支持するゼロフレット本体と、該ゼロフレット本体を弦長方向に位置調整可能に支持する台座とを備えたものであることを特徴とするフレット付き弦楽器。
【請求項２】
前記ゼロフレット本体の上面が、中央が高く両側が低い山形形状をなす請求項１記載のフレット付き弦楽器。
【請求項３】
前記ゼロフレット本体が、隣り合う２本の弦を支持するものである請求項１又は２記載のフレット付き弦楽器。
【請求項４】
前記台座が、前記２本の弦の間を中心にして回動可能に前記ゼロフレット本体を支持するものである請求項３記載のフレット付き弦楽器。
【請求項５】
エレクトリックギター、エレクトリックベース、アコースティックギター又はアコースティックベースである請求項１、２、３又は４記載のフレット付き弦楽器。
【請求項６】
フレット付き弦楽器のナットと第１フレットの間に配置されるゼロフレットであり、
前記弦を支持するゼロフレット本体と、該ゼロフレット本体を弦長方向に位置調整可能に支持する台座とを備えたものであることを特徴とするゼロフレット。
【発明の詳細な説明】
【技術分野】
【０００１】
本発明は、フレット付き弦楽器及びそれに用いられるゼロフレットに関するものである。
【背景技術】
【０００２】
従来、例えば複数の弦例えば６弦を有するエレクトリックギター（以下、エレキギターとも言う）は、ピックアップやブリッジなどが取り付けられたボディとそのボディに接続されるネックとからなり、ブリッジのサドルとネックに取り付けられたナットとの間に弦が張ってある。ネックのナットよりブリッジ側の弦に向き合う部分には、複数のフレットを備える指板が設けてある。
【０００３】
フレットは、指板の表面に設けられ側面から見た場合に、中央が高くその両側が低くなった山形をしており、音高を変えるために設けてある。あるフレットから１フレットだけ移動すると音高が半音だけ高くあるいは低くなる。このようなフレットは、特許文献１に記載のように、計算により得られた位置に取り付けられる。具体的には１オクターブを１２等分した音律である十二平均律の場合、隣り合う音（半音）の振動数の比が２の１２乗根（≒１．０５９４６又はその逆数０.９４３８８）である。したがって第１フレットは、ナット−サドル間の長さ言い換えれば演奏に有効な弦の長さの０.９４３８８倍の位置に、また第２フレットは、第１フレットの位置よりさらに０.９４３８８倍だけ弦の長さが短くなる位置にそれぞれ取り付ける。そして、上記の計算を繰り返し行って、第１２番目の第１２フレットは、開放弦の長さの０.９４３８８の１２乗の位置、すなわちナット−サドル間の長さの１／２の位置に取り付けられる。エレキギターの場合一般的に、フレットは第２２フレットまで設けられている。
【０００４】
このようなエレキギターは例えば、フレットに弦を押し付けて所望の音高を奏でる。６本の弦は、開放弦における音高が弦の太さに応じて決められた音高に調弦される。一例としては、第１弦がＥ（英語表記の音名、以下同じ）、第２弦がＢ、第３弦がＧ、第４弦がＤ、第５弦がＡ、さらに第６弦が第１弦より２オクターブ下のＥに調律される。なお、各弦の調律の前に、振動しているときに弦が指板に接触しないように、フレットと弦との間の距離すなわち弦高を、ブリッジの高さを調整することで調整しておく。弦高は一般的には、ナットに近い低位置に比べて高位置では高くなる。
【０００５】
１つの調律方法として、第１２フレットの実際の音高（音の周波数）と開放弦における音高を比較し、前者が後者の１オクターブ上の音高となる音程になるように調律する方法がある。このように第１２フレットの実際の音高と開放弦における音高とが１オクターブの音程とならない場合は、ブリッジのサドルの位置をネックに近づく方向もしくは遠ざかる方向に移動させて、１オクターブの音程が成立した位置にサドルを静止させる。
【０００６】
ところが、このようにして調律したエレキギターでは、第７フレット〜第１３フレット辺りでは実際の音高とそのフレットに対応する音高との間に差はほとんどないが、それ以外の第１フレット〜第６フレット及び第１４フレット〜第２２フレットでは実際の音高とフレットに対応する音高と間に差（以下、音ずれとも言う）が生じることを発明者は見出した。音高の差は、図９に示すように、第１弦〜第６弦全体を見た場合に、総じて音高が高くなる方向に最大10セント（1セントは半音の１００分の１の音高）程度になった。
【０００７】
このことは、第１２フレットで１オクターブの音程となる調律を行ったことや、計算で得られたフレット位置における音高に対して、弦をフレットに押し当てて出す実際の音の音高が弦の張力の変化により変化していることによると考えられる。特に、弦の張力は、弦をフレットに押し当てることにより張力が増加するので、音高に対する影響は大きいと考えられる。しかも、弦高は前述したように低くできる限界があるので、高位置の音高の差に基づいて弦高を低くすると、低位置のフレットで演奏する場合に弦がフレットに接触するかもしくは接触する可能性が高くなり、弦高を低くすることには限界があった。
【先行技術文献】
【特許文献】
【０００８】
【特許文献１】特開２００５−１８９６９０号公報
【発明の概要】
【発明が解決しようとする課題】
【０００９】
本発明は上述したような問題を鑑みてなされたものであり、フレット毎に音高のズレが最も少なくなるようにフレットの位置を調整するフレット付き弦楽器のフレット位置決定方法を提供することを目的とする。
【課題を解決するための手段】
【００１０】
すなわち、本発明のフレット位置決定方法は、弦がナット又はゼロフレットとブリッジのサドルとの間に張られ、かつ前記弦の下側に複数のフレットを有する指板を備え、前記弦を前記フレットに接触させて音高を選ぶ複数弦を有し、第１２フレットまでの前記フレットを計算で得られるフレット位置に取り付けてなるフレット付き弦楽器のフレット位置決定方法であって、前記フレットを前記指板に取り付ける場合に、開放弦を調律した後に第ｎ（ｎは１３以上の自然数）フレットの位置となる位置近傍の前記指板上に前記フレットを置き、前記指板上に置いた前記フレットに前記弦を押し付けた状態で前記弦を振動させ、振動している前記弦の振動数が前記第ｎフレットの音高に対応する周波数となるように前記フレットの位置を調整し、前記弦の振動数と前記第ｎフレットの音高の周波数とが一致した時の前記フレットの位置をフレット取付位置とすることを特徴とするフレット位置決定方法である。
【００１１】
このような構成によれば、第ｎフレットはそのフレット取付位置を、フレット付き弦楽器を演奏する場合と同じ状況において、弦の振動数と第ｎフレットの音高の周波数とが一致した時の指板上にあるフレットの位置に決定する。それゆえ、すべてのフレットを取り付けたフレット付き弦楽器を演奏する場合に、それぞれの弦の張力の変化の影響を受けることがなく、第１３フレット以上のフレットにおいてフレットに対応する音高と実際の音の音高との差を最小限に抑えることができる。
【００１２】
第１２フレットまでの音ずれを最小限に抑えるためには、前記開放弦を調律した後に前記ナット又はゼロフレットの位置を調整して再度開放弦を調律することが望ましい。このようにナット又はゼロフレットの位置を調整することにより、計算で得られたフレットの取付位置であっても、開放弦での音高に音ずれが小さくなるので、フレットを押さえた際の音ずれも小さくすることができる。
【００１３】
指板に対する弦の位置を考慮した場合、調律する開放弦が、高音弦であることが望ましい。
【００１４】
フレットを指板に置きやすくためには、前記フレットは、下面が平坦で、かつ上面が側面から見た場合に中央が高くその両側が低い山形の線材からなるものが望ましい。このように、下面を平坦にしておくとフレットを指板に置いた際に指板に密着しやすくなり、しかも指板上を容易に移動させることが可能になる。
【００１５】
本発明のフレット位置決定方法を適用するフレット付き弦楽器としては、エレクトリックギター又はエレクトリックベース、あるいはアコースティックギター又はアコースティックベースが挙げられる。
【００１６】
本発明のフレット付き弦楽器のナット又はゼロフレットは、本発明のフレット位置決定方法におけるフレット付き弦楽器のナット又はゼロフレットであって、弦を２本ずつ支持するナット本体又はゼロフレット本体と、前記ナット本体又はゼロフレット本体を弦長方向に位置調整可能に支持する台座とからなることを特徴とするフレット付き弦楽器のナット又はゼロフレットである。
【００１７】
このような構成によれば、フレット位置を決定する場合に、開放弦の調律後にナット本体又はゼロフレット本体を台座に対して位置調整を行うことで、弦の支持位置を調整することが可能になる。したがって、第１２フレットまでの弦長を詳細に調整することができ、低位置のフレットにおける音ずれを解消することができる。
【００１８】
ナット本体又はゼロフレット本体の位置調整が容易にできるようにするためには、前記台座が、前記２本の弦の間を中心にして回動可能に前記ナット本体又はゼロフレット本体を支持するものや、前記台座が、前記２本の弦の間を前記弦長方向に移動可能に前記ナット本体を支持するものが望ましい。
【００１９】
このようなゼロフレットにおけるゼロフレット本体としては、側面から見た形状が中央の高いその両側の低い山形の線材からなる、指板に取り付けるフレットと同形のものが望ましい。
【００２０】
本発明のフレット付き弦楽器のナット又はゼロフレットを適用するフレット付き弦楽器としては、エレクトリックギター又はエレクトリックベース、あるいはアコースティックギター又はアコースティックベースが挙げられる。
【発明の効果】
【００２１】
このように本発明のフレット位置決定方法によれば、第１３フレット以上の高位置のフレットにおける音ずれを確実にほぼなくすことができる。加えて、本発明のフレット付き弦楽器のナット又はゼロフレットを用いることにより、すべてのフレットにおける音ずれをほぼ解消することができる。
【００２２】
また本発明のフレット付き弦楽器のナット又はゼロフレットによれば、開放弦の調律の精度を上げることができ、第１２フレットまでのフレットにおける音ずれを解消することができる。
【図面の簡単な説明】
【００２３】
【図１】本実施形態に係るエレキギターの正面図。
【図２】本実施形態のフレットの斜視図。
【図３】本実施形態の取付位置を決める際に用いるフレットの斜視図。
【図４】本実施形態のネックにおけるナット及びゼロフレットの取付状態を拡大して示す部分正面図。
【図５】本実施形態のゼロフレットの分解斜視図。
【図６】本実施形態のフレットの位置決め作業を行う前のエレキギターを示す正面図。
【図７】この実施形態のフレット位置決定作業を行っている状態を示す、要部拡大側面図。
【図８】本実施形態におけるそれぞれの弦の各フレットにおける音高の差を示す表。
【図９】従来のエレキギターにおけるそれぞれの弦の各フレットにおける音高の差を示す表。
【発明を実施するための形態】
【００２４】
本発明の一実施形態を、図面を参照して説明する。
【００２５】
この実施形態におけるフレット付き弦楽器は、６弦のエレキギター１００で、図１は完成したエレキギター１００の図面である。完成したエレキギター１００は、ピックアップ１１、ブリッジ１２、音量コントローラ１３、音質コントローラ１４、及びピックアップ切り替えスイッチ１５などが取り付けられるボディ１と、ボディ１に接続されるネック２とからなる。ボディ１は、一般に知られている構成のものを適用することができる。
【００２６】
ネック２は、トラスロッドが組み込まれたネック本体２１と、第１フレットＦ１から第１２フレットＦ１２までが計算により決定された取付位置に取り付けられ、かつ第１３フレットＦ１３以上のフレット３が後述するフレット位置決定方法により決定された位置にフレット３が取り付けられてネック本体２１に張り付けられる指板２２と、６個のペグ２３が所定の位置に取り付けられたヘッドストック２４と、ブリッジ１２のサドル１２ａからの弦４を決められたペグ２３に導くナット２５と、ナット２５の近傍で有効弦長の始点となるゼロフレットＦ０とからなる。
【００２７】
計算により決定されたフレット３の取付位置とは、ブリッジ１２のサドル１２ａの位置を基点として、以下の式によりそれぞれのフレットまでの距離を計算して得られるフレット位置である。
【００２８】
ｆｎ＝２（１２−ｎ）／１２＊Ｌ／２
【００２９】
ただしｎは０から１２までの自然数、ＬはブリッジのサドルからゼロフレットＦ０までの有効弦長である。
【００３０】
上記式に数字を当てはめて計算すると、ｆ１である第１フレットＦ１は有効弦長の０．９４４倍の位置に、またｆ５である第５フレットＦ５は弦長の０．７４９倍の位置にそれぞれのフレット３を取り付ける。そして、第１２フレットＦ１２を弦長の１／２となる位置に取り付ける。
【００３１】
図２に示すように、使用するフレット３は、下面が平坦で、かつ側面から見た場合に中央が高くその両側が低い山形のクラウン３１と、クラウン３１の下面の幅方向の中央に設けられて指板２１に埋め込まれるタング３２とからなる。タング３２の側面には、フレット３が指板２１から抜け落ちるのを防止する突起３３が所定間隔をあけて設けてある。また、後述する本発明のフレット位置決定方法において取付位置を決める際に用いるフレット５（以下、位置決め用フレットともいう）は、図３に示すように、指板２１に取り付けられるフレット３のクラウン３１と同形の線材からなる。この位置決め用フレット５は、指板２２に取り付けられるフレット３のタング３２を切り取り、切り取ったタング３２の設けられていた下面を平坦にしてクラウンだけにしたものである。第１フレットＦ１から第１２フレットＦ１２までは、第１３フレットＦ１３以上のフレット３を取り付けるに先立って指板２１に取り付けておく。
【００３２】
この実施形態では、図１及び図４に示すように、ナット２５とゼロフレットＦ０とがヘッドストック２４の指板２１端側に設けられる。ナット２５は、ほぼ弦４の太さと同じ幅を有する溝２５ａが上面に形成してある（図６に示す）。したがって、ナット２５は隣接する弦４との間の弦間距離を保持して、ゼロフレットＦ０を指板２１端とで挟む位置に取り付けられる。
【００３３】
ゼロフレットＦ０は、図４及び図５に示すように、弦４を２本ずつすなわち第１弦４１と第２弦４２、第３弦４３と第４弦４４、及び第５弦４５と第６弦４６をそれぞれ支持する３個のゼロフレット本体Ｆ０１と、それぞれのゼロフレット本体Ｆ０１を弦長方向に位置調整可能に支持する台座Ｆ０２と、それぞれのゼロフレット本体Ｆ０１を台座Ｆ０２に固定するためのボルトＦ０３とからなる。
【００３４】
ゼロフレット本体Ｆ０１は、フレット３のクラウン３１と同じ形状をしており、その長さ方向の中央にボルトＦ０３が貫通する取付孔Ｆ０４が設けてある。ゼロフレット本体Ｆ０１は、２本の弦間距離より大きく、かつ隣接するゼロフレット本体Ｆ０１に接触しない長さに設定してある。
【００３５】
台座Ｆ０２は、ボルトＦ０３が挿入される長孔Ｆ０５が３箇所に設けてある。長孔Ｆ０５の下部には、長孔Ｆ０５の長手方向に沿って移動可能に、かつ上下方向にも移動可能に図示しないナットが取り付けてある。この実施形態において台座Ｆ０２は、３個のゼロフレット本体Ｆ０１に共通となる構造のものであるが、この場合、それぞれのゼロフレット本体Ｆ０１を固定した場合に、長孔Ｆ０５間の上面とゼロフレット本体Ｆ０１の下面とが接触し、ゼロフレット本体Ｆ０１を移動しにくくして下から支持することになる。したがって、演奏中にゼロフレット位置が移動することを確実に防止することができる。
【００３６】
ゼロフレットＦ０は、ゼロフレット本体Ｆ０１の取付孔Ｆ０４に挿入されたボルトＦ０３が長孔Ｆ０５に挿入されて組み立てられる。組み立てられたゼロフレットＦ０は、図４に矢印Ａ１で示すように、ボルトＦ０３を緩めた状態でボルトＦ０３を中心としてゼロフレット本体Ｆ０１を所望の角度まで回転させることができ、かつ同図矢印Ａ２で示すように、弦長方向にゼロフレット本体Ｆ０１を所望の位置まで移動させることができる。そして、最終的にボルトＦ０３を締めることにより、図４に示すように、ゼロフレット本体Ｆ０１を所望の角度で所望の位置に固定する。
【００３７】
フレット３を取り付けるのに先立って、図６に示すように、エレキギター１００は指板２２に第１３フレットＦ１３以上のフレットがない状態で、ネック２をボディ１に取り付けてエレキギター１００として弾ける状態すなわちギターアンプを介して音を出力できる状態に組み立てておく。そして、フレット３の位置決定を行うべく、この実施形態では高音弦である第１弦４１を、ブリッジ１２に一端を固定し、他端をペグ２３に巻き付けて、ブリッジ１２のサドル１２ａとゼロフレットＦ０との間に張る。
【００３８】
第１弦４１はまず、ペグ２３を回して第１弦４１の張力を徐々に高めていき、第１弦４１の振動数つまりその開放弦の音高の周波数が、３２６．６３Ｈｚになるよう調律する。この後、ゼロフレットＦ０の位置を、弦長方向においてブリッジ１２側又はヘッドストック２４側に動かして、実際の音の音高が第１２フレットにおける音高に一致するように調弦する。調律には、チューニングメータ（チューナ）を用いるものであってよい。市販されているギター用のチューニングメータ以外に、弦の周波数あるいは振動している弦が発する音の周波数が測定できる測定装置を使用することができる。
【００３９】
第１弦４１の調律を完了した後、第ｎフレットの取付位置を決定する作業を行う。第ｎフレットの取付位置を決定する作業では、上述した位置決め用フレット５を用いる。作業手順は以下のとおりである。なお、ｎは１３以上の自然数である。この実施形態では、ｎの最大値は２２である。
【００４０】
手順１：指板２２の第ｎフレットの取付位置と考えられる場所（図６に第１３フレットの場合の領域６を点線で示す）の上に、位置決め用フレット５を置く。次に図７で示すように、位置決め用フレット５の近傍で第１弦４１を例えば指７で指板２２に押さえつける。第１弦４１を押さえつけた状態で、位置決め用フレット５よりサドル１２ａ側にある第１弦４１の部分を弾いて第１弦４１を振動させる。
【００４１】
手順２：第１弦４１が振動している間の振動数を測定する。測定した振動数が第ｎフレットの音高の周波数に一致する場合は、この時点で位置決め用フレット５が置かれている位置を第ｎフレットのフレット取付位置に決定する。
【００４２】
手順３：測定した振動数が第ｎフレットの音高の周波数に一致せず、測定した振動数が第ｎフレットの音高の周波数より高い場合は、位置決め用フレット５をゼロフレットＦ０側（図７に矢印Ａ３で示す）に移動させる。これとは反対に測定した振動数が第ｎフレットの音高の周波数より低い場合は、位置決め用フレット５をサドル１２ａ側（図７に矢印Ａ４で示す）に移動させる。
【００４３】
手順４：位置決め用フレット５の移動が完了した後、位置決め用フレット５の近傍で第１弦４１を指７で指板２２に押さえつける。第１弦４１を押さえつけた状態で、位置決め用フレット５よりサドル１２ａ側にある第１弦４１の部分を弾いて第１弦４１を振動させる。
【００４４】
手順５：第１弦４１が振動している間の振動数を測定する。測定した振動数が第ｎフレットの音高の周波数に一致する場合は、この時点で位置決め用フレット５が置かれている位置を第ｎフレットのフレット取付位置に決定する。
【００４５】
以上の手順１から手順２もしくは手順１から手順５までをそれぞれのフレット位置に対して行い、それぞれのフレットの取付位置を決定する。
【００４６】
それぞれのフレット取付位置を決定した後、一旦第１弦４１をエレキギター１００から取り外し、指板２２のそれぞれのフレット取付位置にフレット３のタング３２を埋め込むための溝を切る。その後、それぞれのフレット取付位置に切った溝にタング３２を差し込み、フレット３を取り付ける。最後の第２２フレットＦ２２までフレット３を取り付けて、指板３を完成させる。
【００４７】
このようにして第１３フレットＦ１３から第２２フレットＦ２２までを取り付けたエレキギター１００は、演奏する際に各フレット３を押さえても各弦４の張力がフレット取付位置を決定する時の張力と同じであるので、各フレット３の音高と実際の音の音高との音ずれが、図８に示すように、ほぼプラスマイナス３セント以下になる。このような音ずれは、聴覚上認識することが非常に困難である。したがって、演奏の際、特には和音を奏でた際に音ずれが感じられないので、ほとんど濁りのない楽音で曲を演奏することができ、聴感における印象を著しく良好にすることができる。
【００４８】
なお、本発明は上記実施形態に限定されるものではない。
上記実施形態では６弦のエレキギター１００を説明したが、エレクトリックベースやアコースティックギター、アコースティックベースといったフレット付き弦楽器に適用することができる。エレキギターとしては７弦や１０弦さらには１２弦等、６弦以外のものであってよい。その場合、弦４の本数に応じてペグ２３やサドル１２ａの数を増やすとともに、ピックアップ１１もポールピース数を増やしたものを使用する。ヘッドレスあるいはヘッドレスタイプエレキギターに適用するものであってよい。
【００４９】
フレット付き弦楽器としてはさらには、マンドリン属のもの、バンジョーやツィター、ブズーキ等が挙げられる。
【００５０】
上記実施形態ではクラウン３１とタング３２とを備えるフレット３を説明したが、クラウン３１のみのフレットすなわち上記実施形態で説明した位置決め用フレット５と同じものであってもよい。この場合、タングなしのフレットは接着剤等を介して指板２２に固定することにより取り付ける。またタングなしのフレットにあっては、フレット取付位置を決定する際にタングなしのフレットを位置決めのための作業に使用することができるため、上記実施形態で使用した位置決め用フレット５は不要となる。さらに、タングなしのフレットを取り付ける際に指板２２にタング３２が挿入される溝を設けなくてよいので、工程を削減することができる。
【００５１】
上記実施形態では、ナット２５とゼロフレットＦ０とを備えたエレキギター１００を説明したが、ゼロフレットＦ０をナットとして使用するものであってもよい。この場合、ゼロフレット本体Ｆ０１はボルトＦ０３を中心として回転させることができる構造であるので、ナット２５に代えてゼロフレットＦ０とペグ２３との間にストリングガイドを設けて、常に６本の弦が同じ間隔をあけてゼロフレットＦ０に接触するように構成する。
【００５２】
またゼロフレットＦ０は、ボルトＦ０３を中心に回転可能にゼロフレット本体Ｆ０１が台座Ｆ０２に取り付けられるものや、弦長方向に移動可能にゼロフレット本体Ｆ０１が座Ｆ０２に取り付けられるものであってよい。
【００５３】
さらに、台座Ｆ０２は上記実施例のもののように、３個のゼロフレット本体Ｆ０１に共通のものではなく、それぞれのゼロフレット本体Ｆ０１に対し設けられるものであってもよい。
【００５４】
加えて、それぞれの弦に対して独立したゼロフレット本体を設け、それぞれのゼロフレット本体が独立に位置調整可能に台座に設けられるものであってもよい。
【００５５】
上記実施形態においては、ゼロフレット本体Ｆ０１の位置調整を開放弦の調律の後に行うものを説明したが、位置調整不可能な固定のゼロフレット又はナットを用いる場合、開放弦の調律の後にフレットの取付位置を決定するべく、上記手順１乃至手順５を適宜に行うものであってよい。
その他、本発明は上記実施形態に限られず、その趣旨を逸脱しない範囲で種々の変形が可能であるのは言うまでもない。
【符号の説明】
【００５６】
１００・・・エレキギター（フレット付き弦楽器）
４・・・・・弦
２５・・・・ナット
Ｆ０・・・・ゼロフレット
１２・・・・ブリッジ
１２ａ・・・サドル
３・・・・・フレット
２２・・・・指板
【図１】
2020091501.tif 000003
【図２】
2020091501.tif 000004
【図３】
2020091501.tif 000005
【図４】
2020091501.tif 000006
【図５】
2020091501.tif 000007
【図６】
2020091501.tif 000008
【図７】
2020091501.tif 000009
【図８】
2020091501.tif 000010
【図９】
2020091501.tif 000011